(57)【要約】【課題】  永久磁石が減磁したときに即座に対応できて、減磁に起因する、左右の駆動輪のモータトルクのアンバランスにより、車両に意図しない挙動が発生することを防止する電気自動車の制御装置を提供する。【解決手段】  この電気自動車の制御装置は、永久磁石を有する同期型のモータ６と、ＥＣＵ２１と、パワー回路部２８およびモータコントロール部２９を有するインバータ装置２２とを備える。モータ６を回転数制御する回転数制御手段を設ける。モータコントロール部２９に、ＥＣＵ２１から与えられる加減速指令とモータ６の駆動状態の検出信号とから、永久磁石に減磁が生じたか否かを判定する減磁判定部３４と、減磁判定部３４で永久磁石に減磁が生じたと判定したとき、トルク制御から回転数制御手段による回転数制御に切換える切換制御手段３８とを設けた。【選択図】      図２
2015154528.tif 000002
【特許請求の範囲】
【請求項１】
永久磁石を有し、車輪を駆動する同期型のモータと、
操作部の操作に応じて加減速指令を生成し出力するＥＣＵと、
直流電力を交流電力に変換するインバータを含むパワー回路部、および、前記ＥＣＵから与えられる前記加減速指令に従って前記パワー回路部を介し前記モータをトルク制御するモータコントロール部を有するインバータ装置とを備えた電気自動車の制御装置において、
前記モータを回転数制御する回転数制御手段を設け、
前記モータコントロール部に、
前記ＥＣＵから与えられる加減速指令と前記モータの駆動状態の検出信号とから、定められた規則に従って、前記モータの前記永久磁石に減磁が生じたか否かを判定する減磁判定部と、
この減磁判定部で前記永久磁石に減磁が生じたと判定したとき、前記モータコントロール部による前記トルク制御から前記回転数制御手段による回転数制御に切換える切換制御手段と、
を設けたことを特徴とする電気自動車の制御装置。
【請求項２】
請求項１記載の電気自動車の制御装置において、前記電気自動車は前記モータとして、左右の駆動輪を個別に駆動する左右のモータを有し、前記モータコントロール部は、前記左右のモータ毎に前記加減速指令となるトルク指令とモータの電流指令との関係を定めたトルク指令マップに従って、前記モータをトルク制御するものであり、所定の入力に応答して、前記左右のモータのトルクが一致するように、前記トルク指令マップを調整するトルク指令マップ自動調整部を前記モータコントロール部に設けた電気自動車の制御装置。
【請求項３】
請求項２記載の電気自動車の制御装置において、前記トルク指令マップ自動調整部は、前記左右のモータのうち、減磁が大きい方の前記モータの前記トルク指令マップについて、前記トルク指令に対応する前記電流指令を減磁率が零になるまで徐々に増大させることにより前記トルク指令マップを調整する電気自動車の制御装置。
【請求項４】
請求項２または請求項３に記載の電気自動車の制御装置において、前記トルク指令マップは、前記モータの力行制御状態と回生制御状態とにそれぞれ設けられ、前記トルク指令マップ自動調整部は、前記モータの力行制御状態と回生制御状態とに分けて、前記トルク指令マップを調整する電気自動車の制御装置。
【請求項５】
請求項１ないし請求項４のいずれか１項に記載の電気自動車の制御装置において、前記減磁判定部は、減磁率が一定の閾値以上でかつ一定の時間以上継続したとき、前記永久磁石に減磁が生じたと判定する電気自動車の制御装置。
【請求項６】
請求項１ないし請求項５のいずれか１項に記載の電気自動車の制御装置において、前記減磁判定部で前記永久磁石に減磁が生じたと判定したとき、前記回転数制御手段は、所定の入力に応答して、前記モータを定められた低速走行となる回転数で回転数制御する電気自動車の制御装置。
【請求項７】
請求項１ないし請求項６のいずれか１項に記載の電気自動車の制御装置において、前記モータはインホイールモータ駆動装置を構成するモータであって、このモータは、左右の前輪および左右の後輪のいずれか一方または両方に対して設けられた電気自動車の制御装置。
【発明の詳細な説明】
【技術分野】
【０００１】
この発明は、車両の複数の駆動輪を、複数の永久磁石式同期電動機で個別に駆動する電気自動車の制御装置に関し、永久磁石式同期電動機の永久磁石が減磁している場合、左右車輪トルクのアンバランスを無くして、安定した駆動を行うことができる制御技術に関する。
【背景技術】
【０００２】
車両の複数の駆動輪を、複数の永久磁石式同期電動機で個別に駆動する独立車輪駆動電動車では、左右の駆動輪を駆動する電動機の間で出力トルクのアンバランスが生じると、意図しないヨーモーメントが発生して車両挙動に悪影響を与える。このため、左右の駆動輪の出力トルクのアンバランスを適切に是正することが求められる。
【０００３】
従来技術１
従来、いずれかの電動機が減磁状態となっている場合、減磁した電動機で実現可能なトルク範囲内で複数の電動機の出力トルクが一致するように、複数の電動機に対する電流指令値を各々演算する制御装置が開示されている（特許文献１）。
【０００４】
従来技術２
自動車走行時に減磁が生じた場合、電動モータのリラクタンストルクが増大するように、電動モータのロータの位相に対する最大電流を流すタイミングを変更する技術が提案されている（特許文献２）。これにより、電動モータの駆動力の低下を抑え、電気自動車を、修理工場や道路脇等に自走により移動させ得る。
【先行技術文献】
【特許文献】
【０００５】
【特許文献１】特開２０１０−２６８５６６号公報
【特許文献２】特開２０１３−１１０８０４号公報
【発明の概要】
【発明が解決しようとする課題】
【０００６】
従来技術１では、減磁状態となった場合、複数の電動機の出力トルクが一致するように、複数の電動機に対する電流指令値を各々演算する。このため演算時間がかかり、左右のトルク差が閾値より大きい場合は、直ちに、複数の電動機の出力トルクを一致することができず、意図しないヨーモーメントが発生して車両挙動に悪影響を与えることが懸念される。
【０００７】
従来技術２において、モータロータの位相に対する最大電流を流すタイミングを変更することは、トルク指令マップの調整が必要となり、その調整作業は容易ではない。さらに調整時間が必要となる。そのため、トルク指令マップを調整している間に、車両に意図しない挙動が発生する可能性がある。例えば、車両の走行時に、片輪だけが多く減磁した場合、ヨーモーメントが発生して車両挙動が不安定になるおそれがある。
【０００８】
この発明の目的は、永久磁石が減磁したときに即座に対応できて、減磁に起因する、左右の駆動輪のモータトルクのアンバランスにより、車両に意図しない挙動が発生することを防止する電気自動車の制御装置を提供することである。
【課題を解決するための手段】
【０００９】
この発明の電気自動車の制御装置は、
永久磁石を有し、車輪２を駆動する同期型のモータ６と、
操作部１６，１７の操作に応じて加減速指令を生成し出力するＥＣＵ２１と、
直流電力を交流電力に変換するインバータ３１を含むパワー回路部２８、および、前記ＥＣＵ２１から与えられる前記加減速指令に従って前記パワー回路部２８を介し前記モータ６をトルク制御するモータコントロール部２９を有するインバータ装置２２とを備えた電気自動車の制御装置において、
前記モータ６を回転数制御する回転数制御手段４０を設け、
前記モータコントロール部２９に、
前記ＥＣＵ２１から与えられる加減速指令と前記モータ６の駆動状態の検出信号とから、定められた規則に従って、前記モータ６の前記永久磁石に減磁が生じたか否かを判定する減磁判定部３４と、
この減磁判定部３４で前記永久磁石に減磁が生じたと判定したとき、前記モータコントロール部２９による前記トルク制御から前記回転数制御手段４０による回転数制御に切換える切換制御手段３８と、
を設けたことを特徴とする。
前記定められた規則は、例えば、試験やシミュレーション等の結果に応じて適宜に定められる。
【００１０】
この構成によると、電気自動車が前記モータ６として、例えば、左右の駆動輪２，２を個別に駆動する左右のモータ６，６を有する場合において、車両走行時、減磁判定部３４は、ＥＣＵ２１から与えられる加減速指令（加速・減速指令）とモータ６の駆動状態の検出信号とから、定められた規則に従って、モータ６の永久磁石に減磁が生じたか否かを判定する。前記モータ６の駆動状態の検出信号とは、例えば、モータ６の３相コイルの各相に流れる電流Ｉｕ，Ｉｖ，Ｉｗ、および、モータ回転数等である。永久磁石に減磁が生じていないとき、モータコントロール部２９による前記トルク制御を行う。
減磁判定部３４で永久磁石に減磁が生じたと判定したとき、切換制御手段３８は、前記トルク制御から回転数制御手段４０による回転数制御に切換える。これにより運転者は、とりあえず路側帯などに車両を退避させ、必要な措置を施すことが可能となる。例えば、車両の走行時に片側の駆動輪２に減磁が生じた場合、前記トルク制御から回転数制御に即座に切換えるため、左右の駆動輪２，２のモータトルクにアンバランスが生じることを迅速に抑え、前記ヨーモーメントの発生を抑制して車両の挙動を迅速に安定化させることができる。
【００１１】
前記電気自動車は前記モータ６として、左右の駆動輪２，２を個別に駆動する左右のモータ６，６を有し、前記モータコントロール部２９は、前記左右のモータ６，６毎に前記加減速指令となるトルク指令とモータ６の電流指令との関係を定めたトルク指令マップに従って、前記モータ６をトルク制御するものであり、所定の入力に応答して、前記左右のモータ６，６のトルクが一致するように、前記トルク指令マップを調整するトルク指令マップ自動調整部３５を前記モータコントロール部２９に設けても良い。
【００１２】
この場合、前記トルク制御から回転数制御手段４０による回転数制御に切換えた後、運転者は、例えば路側帯などに車両を一時的に退避させる。その後、トルク指令マップ自動調整部３５は、所定の入力、例えば、運転者によるスイッチ４１等の外部の操作信号からの入力信号に応答して、左右のモータ６，６のトルクが一致するように、トルク指令マップを調整する。その後、モータコントロール部２９は、調整したトルク指令マップに従って、モータ６をトルク制御する。このように左右のモータ６，６のトルクを一致させ、車両に意図しないヨーモーメントが発生することを抑制し得る。
前記トルク制御から回転数制御に切換えた後、この回転数制御のまま車両を例えば修理工場や自宅駐車場等の目的地まで自走することも可能であるが、減磁が大きい方のモータ６の性能維持を考慮すると前記回転数制御のままでは低速走行しかできない。この場合、目的地までの所要時間が長くかかるうえ、この車両と他の車両との速度差が大きくなり走行上支障がある。
そこで回転数制御にて車両を一時的に退避させた後、トルク指令マップ自動調整部３５により、左右のモータ６，６のトルクが一致するように、トルク指令マップを調整して再度トルク制御に戻すため、ある程度の速度を出すことが可能となる。したがって、車両を、一時的に退避させた場所から目的地まで、回転数制御のままで低速走行するよりも短時間で走行上支障なく自走させることが可能となる。
【００１３】
前記トルク指令マップ自動調整部３５は、前記左右のモータ６，６のうち、減磁が大きい方の前記モータ６の前記トルク指令マップについて、前記トルク指令に対応する前記電流指令を減磁率が零になるまで徐々に増大させることにより前記トルク指令マップを調整しても良い。
前記減磁率とは、永久磁石の減磁の程度を表す指標であり、例えば、次のように表される。
減磁率：１−Ｋ
１−Ｋ＝（Ｖｑｍ−Ｖｑｙ）／ω×Ｋｅ×１００％
Ｖｑｍ：ｑ軸目標補正電圧
Ｖｑｙ：ｑ軸実際電圧
ω：モータ角速度
Ｋｅ：誘起電圧定数
この場合、トルク指令マップ自動調整部３５は、左右のモータ６，６のうち減磁が大きいモータ６を抽出し、このモータ６の前記トルク指令マップについて、前記トルク指令に対応する前記電流指令を減磁率が零になるまで徐々に増大させることによりトルク指令マップを調整する。これにより、ｑ軸目標補正電圧Ｖｑｍとｑ軸実際電圧Ｖｑｙとの差がなくなり、この調整後のトルク指令マップに従って、モータ６はトルク制御される。
【００１４】
前記トルク指令マップは、前記モータ６の力行制御状態と回生制御状態とにそれぞれ設けられ、前記トルク指令マップ自動調整部３５は、前記モータ６の力行制御状態と回生制御状態とに分けて、前記トルク指令マップを調整しても良い。このようにモータ６の力行制御状態と回生制御状態とに分けてモータ６を木目細かく制御することができる。
【００１５】
前記減磁判定部３４は、減磁率が一定の閾値以上でかつ一定の時間以上継続したとき、前記永久磁石に減磁が生じたと判定しても良い。前記一定の閾値として、例えば、零よりも大きな値が、前記一定の時間として、例えば、数ミリ秒〜数十ミリ秒の時間が、試験やシミュレーション等により設定される。この場合、永久磁石の減磁を精度良く判定することができる。
前記減磁判定部３４で前記永久磁石に減磁が生じたと判定したとき、前記回転数制御手段４０は、所定の入力に応答して、前記モータ６を定められた低速走行となる回転数で回転数制御しても良い。前記定められた低速走行となる回転数は、トルク指令マップを調整する調整モードに移行したときの回転数であり、車速が、例えば、数ｋｍ／ｈ以下となるモータ回転数である。
切換制御手段３８がトルク制御から回転数制御に切換えた後、モータ６を高速回転状態で長時間運転すると永久磁石の減磁が進行するおそれがある。そこで、例えば、警告ランプ等により、異常を知らせる表示を出力させて運転者の注意を喚起し、運転者は、とりあえず路側帯などに車両を迅速に退避させることができる。その後、所定の入力、例えば、運転者によるスイッチ４１等の外部の操作信号からの入力信号に応答して、トルク指令マップを調整する調整モードに移行することができる。この調整モードにおいて、調整側の一方のモータ６をトルク制御でこのモータ６のトルク指令マップを調整すると共に、非調整側の他方のモータ６を前記定められた低速走行となる回転数で回転数制御する。さらに他方のモータ６のトルク指令マップを調整する場合には、非調整側の一方のモータ６を前記定められた低速走行となる回転数で回転数制御すると共に、調整側の前記他方のモータ６をトルク制御でこのモータ６のトルク指令マップを調整する。
【００１６】
前記モータ６はインホイールモータ駆動装置８を構成するモータ６であって、このモータ６は、左右の前輪３，３および左右の後輪２，２のいずれか一方または両方に対して設けられたものであっても良い。
【発明の効果】
【００１７】
この発明の電気自動車の制御装置は、永久磁石を有し、車輪を駆動する同期型のモータと、操作部の操作に応じて加減速指令を生成し出力するＥＣＵと、直流電力を交流電力に変換するインバータを含むパワー回路部、および、前記ＥＣＵから与えられる前記加減速指令に従って前記パワー回路部を介し前記モータをトルク制御するモータコントロール部を有するインバータ装置とを備えた電気自動車の制御装置において、前記モータを回転数制御する回転数制御手段を設け、前記モータコントロール部に、前記ＥＣＵから与えられる加減速指令と前記モータの駆動状態の検出信号とから、定められた規則に従って、前記モータの前記永久磁石に減磁が生じたか否かを判定する減磁判定部と、この減磁判定部で前記永久磁石に減磁が生じたと判定したとき、前記モータコントロール部による前記トルク制御から前記回転数制御手段による回転数制御に切換える切換制御手段とを設けた。このため、永久磁石が減磁したときに即座に対応できて、減磁に起因する、左右の駆動輪のモータトルクのアンバランスにより、車両に意図しない挙動が発生することを防止することができる。
【図面の簡単な説明】
【００１８】
【図１】この発明の実施形態に係る電気自動車を平面図で示す概念構成のブロック図である。
【図２】同電気自動車のインバータ装置等の概念構成のブロック図である。
【図３】同電気自動車のＩＰＭモータの概念構成図である。
【図４】同電気自動車の制御装置におけるトルク指令マップを示す図である。
【図５】同制御装置における減磁判定部等を示す図である。
【図６】同減磁判定部による減磁判定のフローチャートである。
【図７】同制御装置におけるトルク・回転数制御系のブロック図である。
【発明を実施するための形態】
【００１９】
この発明の実施形態に係る電気自動車の制御装置を図１ないし図７と共に説明する。以下の説明は、電気自動車の制御方法についての説明も含む。図１は、この電気自動車を平面図で示す概念構成のブロック図である。この電気自動車は、車体１の左右の後輪となる車輪２が駆動輪とされ、左右の前輪となる車輪３が従動輪の操舵輪とされた４輪の自動車である。駆動輪および従動輪となる車輪２，３は、いずれもタイヤを有し、それぞれ車輪用軸受４，５を介して車体１に回転支持されている。
【００２０】
車輪用軸受４，５は、図１にてハブベアリングの略称「Ｈ／Ｂ」を付してある。駆動輪となる左右の車輪２，２は、それぞれ独立の走行用のモータ６，６により駆動される。モータ６の回転は、減速機７および車輪用軸受４を介して車輪２に伝達される。これらモータ６、減速機７、および車輪用軸受４は、互いに一つの組立部品であるインホイールモータ駆動装置８を構成しており、インホイールモータ駆動装置８は、一部または全体が車輪２内に配置される。
【００２１】
モータ６は、ロータのコア部に永久磁石が内蔵された埋込磁石型同期モータ（すなわちＩＰＭモータ）である。前記永久磁石には、例えば、ネオジウム系磁石が用いられている。
減速機７は、例えば、サイクロイド減速機からなる。各車輪２，３には、電動式のブレーキ９，１０が設けられている。また左右の前輪となる操舵輪である車輪３，３は、転舵機構１１を介して転舵可能であり、ハンドル等の操舵手段１２により操舵される。
【００２２】
図２は、同電気自動車のインバータ装置等の概念構成のブロック図である。
この電気自動車は、自動車全般の制御を行う電気制御ユニットであるＥＣＵ２１と、このＥＣＵ２１の加減速指令に従って走行用のモータ６の制御を行うインバータ装置２２とを有する。ＥＣＵ２１は、コンピュータとこれに実行されるプログラム、並びに各種の電子回路等で構成される。ＥＣＵ２１は、トルク／回転数制御指令部２１ａと、力行・回生制御指令部２１ｂとを有する。
【００２３】
トルク／回転数制御指令部２１ａは、基本的には、トルク制御を行う手段であるが、永久磁石が減磁した場合の応急処置用の回転数制御を行うための回転数指令部２１ａａを有する。トルク／回転数制御指令部２１ａは、アクセル操作部１６の出力する加速指令（駆動）と、ブレーキ操作部１７の出力する減速指令（回生）と、操舵手段１２からの旋回指令とから、左右輪の走行用のモータ６，６に与える加減速指令をトルク指令値として生成し、インバータ装置２２へ出力する。トルク／回転数制御指令部２１ａは、前記の他に、出力する加減速指令を、各車輪２，３（図１）の例えば車輪用軸受４，５（図１）に設けられた回転センサ（図示せず）から得られるタイヤ回転数の情報や、車載の各センサの情報を用いて補正する機能を有していても良い。
力行・回生制御指令部２１ｂは、力行・回生の切換えを行うための指令フラグを、後述するモータコントロール部２９のモータ力行・回生制御部３３に与える。
【００２４】
アクセル操作部１６は、アクセルペダル１６ａと、このアクセルペダル１６ａの踏込み量を検出するセンサ１６ｂとを有する。ブレーキ操作部１７は、ブレーキペダル１７ａと、このブレーキペダル１７ａの踏込み量を検出するセンサ１７ｂとを有する。
【００２５】
インバータ装置２２は、各モータ６に対して設けられたパワー回路部２８と、このパワー回路部２８を制御するモータコントロール部２９とを有する。インバータ装置２２は、図示しないが、各モータ毎にそれぞれ設けられている。モータコントロール部２９は、各パワー回路部２８に対して共通して設けられていても、別々に設けられていても良い。モータコントロール部２９が各パワー回路部２８に対して共通して設けられた場合であっても、左右のモータ６，６のトルクが互いに異なるように独立して制御可能なものとされる。パワー回路部２８は、バッテリ１９の直流電力をモータ６の力行および回生に用いる３相の交流電力に変換するインバータ３１と、このインバータ３１を制御するＰＷＭドライバ３２とを有する。
【００２６】
モータ６は、３相の同期モータである。このモータ６には、同モータ６のロータの電気角としての回転角度を検出する回転角度センサ３６が設けられている。インバータ３１は、複数の半導体スイッチング素子で構成され、ＰＷＭドライバ３２は、入力された電流指令をパルス幅変調し、前記各半導体スイッチング素子にオンオフ指令を与える。
【００２７】
モータコントロール部２９は、コンピュータとこれに実行されるプログラム、および電子回路により構成され、その基本となる制御部としてモータ駆動制御部３０と、減磁判定部３４と、トルクマップ自動調整部３５と、制御パラメータ調整部３７とを有する。モータ駆動制御部３０は、上位制御手段であるＥＣＵ２１におけるトルク／回転数制御指令部２１ａから与えられるトルク指令または回転数指令による加減速指令、および、力行・回生制御指令部２１ｂから与えられる力行・回生制御の指令フラグにより、予め設定したトルク指令マップを用いて、モータ６への指令電流を生成する。
【００２８】
モータ駆動制御部３０は、モータ力行・回生制御部３３と、切換制御手段３８とを有する。モータ力行・回生制御部３３は、力行制御手段と、回生制御手段とを有する。力行・回生制御指令部２１ｂからの指令フラグにより、前記力行制御手段および前記回生制御手段のいずれか一方が選択される。前記指令フラグにより、力行制御手段が選択された場合において、この力行制御手段は、アクセルペダル１６ａの踏込み量が大きくなる程、力行指令トルクを増加させる。前記指令フラグにより、前記回生制御手段が選択された場合において、前記回生制御手段は、ブレーキペダル１７ａの踏込み量が大きくなる程、回生指令トルクを増加させる。
【００２９】
前記トルク指令マップは、左右のモータ６毎に、加減速指令となるトルク指令に対して、モータ回転速度範囲毎に電流指令を定めたものである。前記電流指令は、モータ６に流す一次電流Ｉａと、回転磁界とロータ永久磁石間の電流進角βとを有する。さらにトルク指令マップは、モータ６の力行制御状態と回生制御状態とに分けてそれぞれ設けられている。モータコントロール部２９は、左右のモータ６毎で且つ力行制御状態・回生制御状態毎に設定されたトルク指令マップに従って、モータ６をトルク制御する。トルク指令マップは、この例では、モータコントロール部２９内の記憶手段３９に書換え可能に記憶されている。
【００３０】
記憶手段３９として、不揮発性メモリ（例えば、ＥＥＰＲＯＭ等）が適用される。なお記憶手段３９は、インバータ装置２２内の他の箇所に設けても良いし、インバータ装置２２外に設けることも可能である。モータ駆動制御部３０は、モータ６に印加する駆動電流を電流検出手段４３で得た実際の検出値と、指令電流とを一致させるために、モータ６をＰＩ制御で制御する。
【００３１】
切換制御手段３８は、減磁判定部３４で永久磁石に減磁が生じたと判定したとき、モータコントロール部２９によるトルク制御から後述する回転数制御手段４０（図７）による回転数制御に切換える。
減磁判定部３４（後述する）は、トルク／回転数制御指令部２１ａから与えられる加減速指令とモータ６の駆動状態の検出信号とから、定められた規則に従って、モータ６の永久磁石に減磁が生じたか否かを判定する。
【００３２】
トルク指令マップ自動調整部３５は、所定の入力、例えば、運転者によるスイッチ４１等の外部の操作信号からの入力信号に応答して、左右のモータ６，６のトルクが一致するように、トルク指令マップを調整する。前記スイッチ４１は、例えば、インバータ装置２２に入力信号を与えているが、ＥＣＵ２１に入力信号を与えるようにしても良い。このような入力信号に応答して、記憶手段３９のトルク指令マップが書換えられる。その後、モータコントロール部２９は、調整したトルク指令マップに従って、モータ６をトルク制御する。
【００３３】
制御パラメータ調整部３７は、例えば、時々刻々と変化するモータ回転数およびトルクに応じて、ＰＩ制御ゲインを適宜に調整する。このＰＩ制御ゲインの調整量は、例えば、台上試験および実車試験による結果に基づき定められる。
またモータコントロール部２９は、異常報告手段４２を有する。この異常報告手段４２は、減磁判定部３４で永久磁石に減磁が生じたと判定したとき、ＥＣＵ２１に減磁が発生している旨の異常発生情報を出力する。ＥＣＵ２１は、異常報告手段４２から出力された異常発生情報を受けて、例えば、コンソールパネル等に設置された警告ランプを点灯させたり、車両がディスプレイ装置を搭載する場合、同ディスプレイ装置に、異常を知らせる表示を行わせる。
【００３４】
図３は、この電気自動車のＩＰＭモータの概念構成図である。
図３（ｃ）に示すように、車輪を駆動するモータがＩＰＭモータつまり埋込磁石型同期モータの場合、ロータ側の永久磁石とステータの相互作用で発生する磁石トルクＴｍと、ロータ側のコア部と前記ステータの間の吸引力に起因するリラクタンストルクＴｒとが発生し、２種類のトルクＴｍ，Ｔｒで回転する。磁石トルクＴｍは、電流に比例し、回転磁界とロータ永久磁石間の電流進角βである位相が零のときに最大となる。一方、リラクタンストルクＴｒは、電流の２乗に比例し、前記位相が４５°で最大となる。そのため、埋込磁石型同期モータでは、通常、両トルクＴｍ，Ｔｒの和（Ｔｍ＋Ｔｒ）が最大となる電流印加条件で駆動する。
【００３５】
図３（ａ）に示すように、車輪を駆動するモータが埋込磁石型同期モータの場合は、磁石軸であるｄ軸方向よりそれと直交するｑ軸方向の磁気抵抗が小さくなるため、突極構造となり、ｄ軸インダクタンスＬｄよりｑ軸インダクタンスＬｑが大きくなる。この突極性により、磁石トルクＴｍ以外にリラクタンストルクＴｒが併用でき、高トルクおよび高効率とすることもできる。
【００３６】
磁石トルクＴｍ：回転子の永久磁石による磁界と巻線による回転子磁界と吸引反発して発生するトルクである。
リラクタンストルクＴｒ：巻線による回転磁界に回転子の突極部が吸引されて発生するトルクである。
【００３７】
モータが発生する総トルクは下記のようになる。
Ｔ＝ｐ×｛Ｋｅ×Ｉｑ＋（Ｌｄ−Ｌｑ）×Ｉｄ×Ｉｑ｝＝Ｔｍ＋Ｔｒ
ｐ：極対数
Ｌｄ：モータのｄ軸インダクタンス
Ｌｑ：モータのｑ軸インダクタンス
Ｋｅ：モータ誘起電圧定数実効値
【００３８】
図３（ｂ）に示すように、ＩＰＭモータに流す１次電流Ｉａを、トルク生成電流ｑ軸電流Ｉｑと、磁束生成電流ｄ軸電流Ｉｄとに分離し、それぞれ独立に制御できるベクトル制御手法が周知である。
Ｉｄ＝−Ｉａ×ｓｉｎβ
Ｉｑ＝Ｉａ×ｃｏｓβ
（β：電流進角）
【００３９】
図４は、この電気自動車の制御装置におけるトルク指令マップを示す図である。
このトルク指令マップは、予めモータ台上試験により作成し、前記記憶手段３９（図２）に書き込む。同図に示すように、トルク指令マップは、各々のトルク指令値Ｔｒｑ＿０，Ｔｒｑ＿１，…Ｔｒｑ＿ｎに対して、モータ回転速度範囲Ｒｏｔ＿０，Ｒｏｔ＿１，…Ｒｏｔ＿ｍ毎に、電流指令（１次電流Ｉａ，電流進角β）を定めている。
【００４０】
モータのトルク制御時、アクセル信号と速度の信号とに基づき、前記トルク指令マップから相応な１次電流（Ｉａ）と電流進角（β）とを取り出して、モータを制御している。また、１次電流（Ｉａ）と電流進角（β）から、トルク生成電流であるｑ軸電流Ｉｑと磁束生成電流であるｄ軸電流Ｉｄを生成し、それぞれ独立に制御できるベクトル制御である。
Ｉｄ＝−Ｉａ×ｓｉｎβ
Ｉｑ＝Ｉａ×ｃｏｓβ
【００４１】
この実施形態のように左右の後輪２輪をトルク制御により駆動する場合、左右のモータの個体差、または同一モータであっても、力行・回生時特性が異なる。このため、トルク指令マップは、左右のモータに分けて設け、且つ、モータの力行制御状態と回生制御状態とでそれぞれ個別に設けている。すなわち力行制御状態において、左右のモータに分けて２種類のトルク指令マップが設けられ、回生制御状態において、左右のモータに分けて２種類のトルク指令マップが設けられる。したがって合計４種類のトルク指令マップが設けられる。なお前後輪４輪を駆動する場合、合計８種類のトルク指令マップが設けられる。
【００４２】
図５は、減磁判定部等を示す図である。
図５（ａ）に示すように、減磁判定部３４は、モータに搭載される永久磁石の減磁量を演算して、減磁の程度を判定する機能部である。この減磁判定部３４は、ｑ軸目標電圧取得部４４と、ｑ軸電圧補正部４５と、ｑ軸実際電圧補正部４６と、減磁率演算部４７と、減磁率判定部分４８とを有する。ｑ軸目標電圧取得部４４は、ｑ軸目標電圧マップ４４ａ（図５（ｂ））を有し、以下の電圧方程式等に基づいてｑ軸目標電圧Ｖｑｒを取得する。
【００４３】
【数１】
2015154528.tif 000003
【００４４】
ω：モータ角速度
Ｋｅ：誘起電圧定数
Ｉｄ：ｄ軸電流
Ｉｑ：ｑ軸電流
Ｌｄ：ｄ軸インダクタンス
Ｌｑ：ｑ軸インダクタンス
Ｒ：電機子抵抗
ｐ：微分演算子
ｑ軸電圧Ｖｑは、次のように表される。
Ｖｑ＝Ｒ×Ｉｑ＋ｐＬｑ×Ｉｑ＋ω×Ｌｄ×Ｉｄ＋ω×Ｋｅ
【００４５】
前述のように左右の後輪２輪を駆動する場合、アクセル信号を指令トルクに変換し、力行制御状態と回生制御状態のいずれかのトルク指令マップ（図４）に基づき、左右のモータの指令電流（Ｉａ，β）を生成する。なお同じ指令トルクであっても、左右のモータの指令電流は、必ずしも一致するものではない。
【００４６】
ｑ軸目標電圧Ｖｑｒは、次のように表される。
Ｖｑｒ＝Ｒ×Ｏ＿Ｉｑ＋ｐＬｑ×Ｏ＿Ｉｑ＋ω×Ｌｄ×Ｏ＿Ｉｄ＋ω×Ｋｅ
Ｏ＿Ｉｄ：ｄ軸目標電流
Ｏ＿Ｉｑ：ｑ軸目標電流
ｑ軸目標電圧マップ（図５（ｂ））は、モータ角速度ω、指令ｑ軸電流Ｏ＿Ｉｑ、指令ｄ軸電流Ｏ＿Ｉｄに応じて、力行制御状態と回生制御状態のそれぞれのマップが設けられる。
【００４７】
ｑ軸電圧補正部４５は、ｑ軸目標電圧取得部４４で取得されたｑ軸目標電圧Ｖｑｒを、ｑ軸電圧補正マップ（図５（ｃ））に従って補正する。
スイッチング素子が同時にオンすることを避けるためのデッドタイムを設けてスイッチング制御を行い、デッドタイムが一定の場合、直流電源電圧Ｖｃが上がれば上がる程、デッドタイムが大きくなり、実際の駆動電圧は小さくなる。そこで、直流電源電圧Ｖｃに応じてモータ電圧の補正が必要である。
また力行運転状態と回生運転状態は、直流電源電圧Ｖｃが同じであっても、デッドタイムにより影響を受ける電力の大きさが異なる。このため、力行制御状態と回生制御状態それぞれのｑ軸電圧補正マップを設ける。
【００４８】
ｑ軸実際電圧補正部４６は、３相・２相変換部５０で計算されたｄ軸実際電流Ｉｄｙ、ｑ軸実際電流Ｉｑｙから、電圧方程式によりｑ軸実際電圧Ｖｑｙを出力する。
すなわち３相・２相変換部５０は、モータの３相コイルの各相に流れる３相モータ電流Ｉｕ，Ｉｖ，Ｉｗを、回転角度センサから得られる回転角Θを用いて、ｄ軸およびｑ軸に流れる実際電流Ｉｄｙ，Ｉｑｙに変換する。
【００４９】
【数２】
2015154528.tif 000004
【００５０】
前記電圧方程式は、次式のように表される。
Ｖｑｙ＝Ｒ×Ｉｑｙ＋ｐＬｑ×Ｉｑｙ＋ω×Ｌｄ×Ｉｄｙ＋ω×Ｋ×Ｋｅ
Ｖｑｙ：ｑ軸実際電圧
Ｉｄｙ：ｄ軸実際電流
Ｉｑｙ：ｑ軸実際電流
Ｋ：磁束の残存率を表す。
よって、ｑ軸実際電圧補正部４６は、ｄ軸実際電流Ｉｄｙ、ｑ軸実際電流Ｉｑｙから、電圧方程式によりｑ軸実際電圧Ｖｑｙを出力する。
【００５１】
減磁率演算部４７は、ｑ軸電圧補正部４５で補正されたｑ軸目標補正電圧Ｖｑｍ、ｑ軸実際電圧補正部４６で出力されたｑ軸実際電圧Ｖｑｙ、およびモータ角速度ω等から、次式に従って減磁率を演算する。
減磁率：１−Ｋ
１−Ｋ＝（Ｖｑｍ−Ｖｑｙ）／ω×Ｋｅ×１００％
Ｖｑｍ：ｑ軸目標補正電圧
Ｖｑｙ：ｑ軸実際電圧
ω：モータ角速度
Ｋｅ：誘起電圧定数
【００５２】
減磁率判定部分４８は、減磁の判定を、力行制御状態と回生制御状態に応じて、左右のモータそれぞれについて判定する。減磁率判定部分４８は、判定時において、例えば、（１−Ｋ）≧一定の閾値で、かつ、一定の時間以上継続したとき、永久磁石に減磁が生じたと判定する。ここで図６は、減磁判定部による減磁判定のフローチャートである。図５も参照しつつ説明する。
【００５３】
本減磁判定の処理開始後、減磁率判定部分４８は、減磁率演算部４７で演算した減磁率（１−Ｋ）が一定の閾値以上か否かを判定する（ステップＳ１）。否との判定で（ステップＳ１：ＮＯ）、リターンする。減磁率（１−Ｋ）が一定の閾値以上であるとの判定で（ステップＳ１：ＹＥＳ）、減磁率判定部分４８は、その一定の閾値以上の減磁率が一定時間以上継続しているか否かを判定する（ステップＳ２）。否との判定で（ステップＳ２：ＮＯ）、ステップＳ１に戻る。
【００５４】
減磁率が一定時間以上継続しているとの判定で（ステップＳ２：ＹＥＳ）、減磁率判定部分４８は、永久磁石に減磁が生じたと判定する（ステップＳ３）。その後本処理を終了する。なお減磁を判定するとき、左右のモータ共減磁している可能性があり、左右のモータのいずれか一方だけ減磁している可能性がある。減磁判定部３４にて永久磁石に減磁が生じたと判定した後のモータ制御は、図７と共に説明する。
【００５５】
図７は、この制御装置におけるトルク・回転数制御系のブロック図である。図２も参照しつつ説明する。
モータコントロール部２９のモータ駆動制御部３０は電流指令部５１を含み、この電流指令部５１は、モータ６に印加する駆動電流を電流検出手段４３で検出して得た検出値と、ＥＣＵ２１におけるトルク／回転数制御指令部２１ａで生成した加減速指令によるトルク指令値とから、前記インバータ装置２２内に予め設定したトルク指令マップを用い、相応の指令電流を生成する。つまりＥＣＵ２１からのトルク指令値に応じて、インバータ内部に生成された指令電流値の偏差を無くすためのＰＩフィードバック制御を行う。前記指令電流の方向は、ＥＣＵ２１の力行・回生制御指令部２１ｂから与えられる指令フラグにより切換えられる。
【００５６】
モータ力行・回生制御部３３は、モータ６のロータの回転角を回転角度センサ３６から得て、ベクトル制御を行う。ここで車体の左右の後輪２に設けられたモータ６は、力行時と回生時とでトルク発生方向が互いに異なる。つまり前記モータ６をこの出力軸の方向から見ると、左側のモータ６は時計回りのトルクを発生し、右側のモータ６は反時計回りのトルクが発生する（左、右側は車両後ろから見る方向で決定される）。左、右側のモータ６，６でそれぞれ発生したトルクは、減速機７および車輪用軸受４を介して、トルク方向を反転し、タイヤに伝達される。また左、右タイヤのモータ６における回生時のトルク発生方向は、力行時のトルク発生方向と異なっている。
【００５７】
電流指令部５１は、算出された前記トルク指令値に基づき、モータ６の１次電流（Ｉａ）と電流進角（β）を生成する。電流指令部５１は、これら１次電流（Ｉａ）と電流進角（β）の値に基づき、ｄ軸電流（界磁成分）Ｏ＿Ｉｄと、ｑ軸電流Ｏ＿Ｉｑの二つの指令電流を生成する。
【００５８】
電流ＰＩ制御部５２は、電流指令部５１から出力されたｄ軸電流Ｏ＿Ｉｄ、ｑ軸電流Ｏ＿Ｉｑの値と、モータ電流および回転子角度から３相・２相変換部５０で計算された２相電流Ｉｄ，Ｉｑとから、ＰＩ制御による電圧値による制御量Ｖｄ，Ｖｑを算出する。３相・２相変換部５０では、電流検出手段４３で検出されたモータ６のｕ相電流（Ｉｕ）とｖ相電流（Ｉｖ）の検出値から、次式Ｉｗ＝−（Ｉｕ＋Ｉｖ）で求められるｗ相電流（Ｉｗ）を算出し、Ｉｕ，Ｉｖ，Ｉｗの３相電流からＩｄ，Ｉｑの２相電流に変換する。この変換に使われるモータ６の回転子角度は、回転角度センサ３６から取得する。検出された回転角度（位相）は、回転角度（位相）補正部５３により補正され、モータ６を精度良く制御し得る。
【００５９】
２相・３相変換部５４は、入力された２相の制御量Ｖｄ，Ｖｑと、回転角度（位相）補正部５３により補正された回転角度とから、３相のＰＷＭデューティＶｕ，Ｖｖ，Ｖｗに変換する。電力変換部５５は、ＰＷＭデューティＶｕ，Ｖｖ，Ｖｗに従ってインバータ３１（図２）をＰＷＭ制御し、モータ６を駆動する。
【００６０】
モータの永久磁石が減磁状態となった場合、前記従来技術１のように、複数の電動機の出力トルクが一致するように、複数の電動機に対する電流指令値を各々演算する構成では、演算時間がかかる。さらに左右のトルク差が閾値より大きい場合は、直ちに、複数の電動機の出力トルクを一致することができず、意図しないヨーモーメントが発生して車両挙動に悪影響を与えることが懸念される。
【００６１】
そこで、本実施形態では、減磁判定部３４にて、永久磁石に減磁が生じたと判定した場合、切換制御手段３８がモータ６をトルク制御から回転数制御手段４０による回転数制御に切換える。回転数制御手段４０は、モータ６を回転数制御する手段であり、トルク／回転数制御指令部２１ａにおける回転数指令部２１ａａと、モータ駆動制御部３０における回転数・トルク変換部５６とを有する。
【００６２】
回転数指令部２１ａａは、回転数・トルク変換部５６に回転数指令を与える。回転数・トルク変換部５６は、入力された回転数指令を指令トルクに変換する。これにより運転者は、とりあえず路側帯などに車両を退避させ、トルク指令マップを調整するためのスイッチ４１を操作し得る。
トルク指令マップ自動調整部３５は、前記スイッチ４１の操作信号からの入力信号に応答して、左右のモータ６，６のトルクが一致するように、トルク指令マップを調整する。トルク指令マップ自動調整部３５は、スイッチ４１からの入力信号に応答してトルク指令マップを調整する調整モードに移行する。
【００６３】
トルク指令マップ自動調整部３５は、例えば、左右のモータ６，６のうち、減磁が大きい方のモータ６における減磁率が零になるまで徐々に増大させることによりトルク指令マップを調整する。例えば、右側のモータ６に減磁が生じたと判定された場合、前記右側のモータ６のトルク指令マップを調整する。このトルク指令マップを調整している調整モードにおいて、車速が、例えば、数ｋｍ／ｈ以下となるモータ回転数で非調整側の左側モータ６を回転数制御で実施すると共に、調整側の右側モータ６をトルク制御で実施する。調整モード終了後、左右のモータ６，６は、各々のトルク指令マップに従ってトルク制御される。
【００６４】
なお左右両側のモータ共に減磁が生じている場合、トルク指令マップを調整する調整モードにおいて、例えば、非調整側の一方のモータ６を低速走行で回転数制御すると共に、調整しようとする他方のモータ６をトルク制御しつつ、この他方のモータ６のトルク指令マップを調整する。次に、この調整後の他方のモータ６を低速走行で回転数制御すると共に、調整しようとする一方のモータ６をトルク制御しつつ、この一方のモータ６のトルク指令マップを調整する。
【００６５】
作用効果について説明する。
車両走行時、減磁判定部３４は、モータ６の永久磁石に減磁が生じたか否かを判定する。永久磁石に減磁が生じていないとき、モータコントロール部２９によるトルク制御を行う。  減磁判定部３４で永久磁石に減磁が生じたと判定したとき、切換制御手段３８が、前記トルク制御から回転数制御手段４０による回転数制御に切換えると共に、異常報告手段４２がＥＣＵ２１に減磁が発生している旨の異常発生情報を出力する。
【００６６】
これにより運転者は、例えば、路側帯などに車両を退避させ、スイッチ４１を操作する。トルク指令マップ自動調整部３５は、スイッチ４１の操作信号からの入力信号に応答して、左右のモータ６，６のトルクが一致するように、トルク指令マップを調整する。その後、モータコントロール部２９は、調整したトルク指令マップに従って、モータ６をトルク制御する。このように左右のモータ６，６のトルクを一致させ、車両に意図しないヨーモーメントが発生することを抑制し得る。
【００６７】
前記トルク制御から回転数制御に切換えた後、この回転数制御のまま車両を例えば修理工場や自宅駐車場等の目的地まで自走することも可能であるが、モータ６の安全性を考慮すると前記回転数制御のままでは低速走行しかできない。この場合、目的地までの所要時間が長くかかるうえ、この車両と他の車両との速度差が大きくなり走行上支障がある。
そこで回転数制御にて車両を一時的に退避させた後、トルク指令マップ自動調整部３５により、左右のモータ６，６のトルクが一致するように、トルク指令マップを調整して再度トルク制御に戻すため、ある程度の速度を出すことが可能となる。したがって、車両を、一時的に退避させた場所から目的地まで、回転数制御のままで低速走行するよりも短時間で走行上支障なく自走させることが可能となる。
【００６８】
モータ６は、減速機７を介さずに直接に車輪２を回転駆動するものであっても良い。
この実施形態では、永久磁石が内蔵された埋込磁石型同期モータが適用されているが、ロータ表面に永久磁石を設けたいわゆるＳＰＭモータを適用しても良い。
インホイールモータ駆動装置においては、サイクロイド式の減速機を採用した例を示したが、これに限ることなく、遊星減速機、２軸並行減速機、その他の減速機を適用可能であり、また、減速機を採用しない、所謂ダイレクトモータタイプであってもよい。
【符号の説明】
【００６９】
２…車輪
６…モータ
８…インホイールモータ駆動装置
１６…アクセル操作部
１７…ブレーキ操作部
２１…ＥＣＵ
２２…インバータ装置
２８…パワー回路部
２９…モータコントロール部
３１…インバータ
３４…減磁判定部
３５…トルク指令マップ自動調整部
３８…切換制御手段
４０…回転数制御手段
【図１】
2015154528.tif 000005
【図２】
2015154528.tif 000006
【図３】
2015154528.tif 000007
【図４】
2015154528.tif 000008
【図５】
2015154528.tif 000009
【図６】
2015154528.tif 000010
【図７】
2015154528.tif 000011